(57)【特許請求の範囲】
【請求項１】
片面に粘着材層を有するテープ基材から形成された足首関節用テーピングテープであって、
長尺の本体部と、該長尺の本体部の略中心部から斜め方向に延設された少なくとも一つの脚部と、を有し、
前記本体部は、使用時において足裏に貼着される足裏貼着部と、該足裏貼着部の一方側から延設された一方側延設部と、該足裏貼着部の他方側から延設された他方側延設部と、から構成されるとともに、
前記脚部は、使用時において前記本体部よりも足の踵側に位置し、足首の裏側から足首の表側に向かって貼着されるように構成されており、さらに前記脚部が、前記本体部の一方側延設部および他方側延設部の延設方向と略垂直な方向にだけ伸縮するように形成されていることを特徴とする足首関節用テーピングテープ。
【請求項２】
前記脚部が、
帯状の本体部の略中心部から斜め一方側方向に延設された一方側脚部と、
帯状の本体部の略中心部から斜め他方側方向に延設された他方側脚部と、の少なくとも２つから構成され、
前記一方側脚部は、足首の裏側から足首の他方側の側部を通って足首の表側に向かって貼着されるように構成されているとともに、
前記他方側脚部は、足首の裏側から足首の一方側の側部を通って足首の表側に向かって貼着されるように構成されていることを特徴とする請求項１に記載の足首関節用テーピングテープ。
【請求項３】
前記一方側脚部と前記他方側脚部とは、互いに所定距離だけ離間した位置より前記本体部から延設されていることを特徴とする請求項２に記載の足首関節用テーピングテープ。
【請求項４】
前記一方側延設部が、
前記足裏貼着部の一方側から延設されるとともに、使用時において足裏の一方側から足首の表側を通って足首の他方側の側部に向かって貼着される一方側第１延設部と、
前記足裏貼着部の一方側から延設されるとともに、使用時において足裏の一方側から足首の一方側の側部に向かって貼着される一方側第２延設部と、からなる二股状に構成されるとともに、
前記他方側延設部が、
前記足裏貼着部の他方側から延設されるとともに、使用時において足裏の他方側から足首の表側を通って足首の一方側の側部に向かって貼着される他方側第１延設部と、
前記足裏貼着部の他方側から延設されるとともに、使用時において足裏の他方側から足首の他方側の側部に向かって貼着される他方側第２延設部と、からなる二股状に構成されていることを特徴とする請求項２または３に記載の足首関節用テーピングテープ。
【請求項５】
前記テープ基材の粘着材層の上には剥離層が形成されており、
前記剥離層には、
前記本体部の足裏貼着部と前記一方側第１延設部との境界部分、
前記本体部の足裏貼着部と前記一方側第２延設部との境界部分、
前記本体部の足裏貼着部と前記他方側第１延設部との境界部分、
前記本体部の足裏貼着部と前記他方側第２延設部との境界部分、
前記本体部と前記一方側脚部との境界部分、
前記本体部と前記他方側脚部との境界部分、のそれぞれにミシン目が形成されていることを特徴とする請求項４に記載の足首関節用テーピングテープ。
【請求項６】
前記ミシン目によって区分される前記剥離層の各部には、使用時におけるに貼着順序を示す順序指標が付されていることを特徴とする請求項５に記載の足首関節用テーピングテープ。
【発明の詳細な説明】
【技術分野】
【０００１】
本発明は、足首関節用テーピングテープに関し、より詳しくは、足首の関節の動作範囲を所定の方向および範囲に抑制するため、足首およびその周囲へ貼着して使用される足首関節用テーピングテープに関する。
【背景技術】
【０００２】
従来より、伸縮性を有する布製の基材と、この基材の片面に粘着材層を有する粘着テープを人体の所定部位に貼着、巻装して、人体の関節部の動作範囲を所定の範囲に抑制することがスポーツ，医療，介護などの現場で行われている。
【０００３】
これは、関節部の怪我を未然に防止する目的や怪我の応急処理などを目的とする技法であり、一般に「テーピング」と呼ばれている。
テーピングに用いられる粘着テープはテーピングテープと呼ばれている。テーピングテープは、通常、１本もののテープがロール状に巻かれた状態で流通しており、使用時において適当な長さに切断、加工されて使用される。
【０００４】
ところで、このようなロール状のテーピングテープを用いて正しくテーピングを行うには、高度な技量と専門的な知識が必要であり、誰でも簡単に行えるというものではない。特に足首は人体の中でも複雑な動きをする部位であり、この足首に正しくテーピングを行うのは素人ではなかなか難しく、医療従事者やスポーツトレーナーなどに処置してもらうのが一般的である。しかしながら、テーピングが必要なその都度、医療従事者やスポーツトレーナーの元に出向くことはなかなか難しく、例えば足腰が弱くなった高齢者にとっては、テーピングのための通院自体が大変な労力である。
【０００５】
そこで予め所定の形状にカットされた粘着テープを作成しておき、これを用いることで自分自身でも簡単にテーピングを行えるようにした足首関節用テーピングテープが、特許文献１，２に開示されている。
【０００６】
図８は、特許文献１に示されている従来の足首関節用テーピングテープを示した図、図９は、特許文献１に示されている従来の足首関節用テーピングテープを足首に貼着した状態を示した図である。また、図１０は、特許文献２に示されている従来の足首関節用テーピングテープを示した図、図１１は、特許文献２に示されている従来の足首関節用テーピングテープを足首に貼着した状態を示した図である。
【０００７】
この特許文献１に示されている従来の足首関節用テーピングテープ１００は、粘着テープを予め図８に示したような所定の形状にカットすることで形成されている。なお、図８に示されている足の形状は、左足の裏側の形状を示している。
【０００８】
この足首関節用テーピングテープ１００は、図８に示したように、一方側延設部１２２および他方側延設部１２４とから構成された長尺帯状の本体部１２０と、この本体部１２０の略中心部から図中の斜め一方側方向に延設された帯状の脚部１３０とから構成されている。
【０００９】
そして、本体部１２０に形成されている湾曲部１２０ａを目印にして足の踵部分を合わせて、本体部１２０を足裏に貼着し、その一方側延設部１２２を足首の一方側（内側）の側面に貼着するとともに、他方側延設部１２４を足首の他方側（外側）の側面に貼着する。そして、脚部１３０を足裏の他方側（外側）から足首の表側および足首の一方側（内側）の側面を通って足首の裏側に巻きつけるように貼着して、図９に示したように、足首関節用テーピングテープ１００が足首に貼着されるようになっている。
【００１０】
また、特許文献２に示されている従来の足首関節用テーピングテープ２００は、粘着テープを予め図１０に示したような所定の形状にカットすることで形成されている。
この特許文献２に示されている従来の足首関節用テーピングテープ２００は、図１０に示したように、使用時において足裏に貼着される足裏貼着部２２６と、この足裏貼着部２２６の一方側から延設された帯状の一方側第１延設部２２２ａおよび一方側第２延設部２２４ａと、足裏貼着部２２６の他方側から延設された帯状の他方側第１延設部２２２ｂおよび他方側第２延設部２２４ｂとから構成されている。
【００１１】
そして、足裏貼着部２２６を足裏に貼着し、一方側第２延設部２２４ａを足首の一方側（内側）の側面に貼着するとともに、他方側第２延設部２２４ｂを足首の他方側（外側）の側面に貼着する。そして、一方側第１延設部２２２ａを足裏の一方側（内側）から足首の表側および足首の他方側（外側）の側面を通って足首の裏側に巻きつけるように貼着する。また、この一方側第１延設部２２２ａと足首の表側で交差するように、他方側第１延設部２２２ｂを足裏の他方側（外側）から足首の表側および足首の一方側（内側）の側面を通って足首の裏側に巻きつけるように貼着して、図１１に示したように、足首関節用テーピングテープ２００が足首に貼着されるようになっている。
【００１２】
このように、これら特許文献１，２に開示されている従来の足首関節用テーピングテープ１００，２００では、粘着テープを予め所定の形状にカットされているため、ロール状のテーピングテープを用いてテーピングを行う場合よりも、比較的簡単に自分自身の手で足首にテーピングを施すことができるようになっている。
【先行技術文献】
【特許文献】
【００１３】
【特許文献１】特開２００２−３６０６２７号公報
【特許文献２】意匠登録第１２０８００４号公報
【発明の概要】
【発明が解決しようとする課題】
【００１４】
しかしながら、上述した従来の足首関節用テーピングテープ１００は、脚部１３０を足裏の一方側から足首の表側および足首の他方側の側面を通って足首の裏側に巻きつけるように貼着する必要があるが、このような貼着方法だと、足首の裏側でテープを持つ手を入れ替えなければならない。粘着材層が露出した状態で、足の裏側でテープを持つ手を入れ替えようとすると、テープが捩れてくっついてしまったり、予期せぬ部位にテープが貼着したりすることがあり、この従来の足首関節用テーピングテープ１００であっても、自分自身の手で簡単かつ正確に足首にテーピングを施すのは難しかった。
【００１５】
また、上述した従来の足首関節用テーピングテープ２００も、その一方側第１延設部２２２ａおよび他方側第１延設部２２２ｂを貼着する際に、上述した足首関節用テーピングテープ１００と同様の問題が生ずるものであった、
本発明は、このような現状に鑑みなされた発明であって、足首の関節の動作範囲を所定の方向および範囲に好適に抑制することができるとともに、自分自身の手で簡単かつ正確に足首にテーピングをすることのできる足首関節用テーピングテープを提供することを目的とする。
【課題を解決するための手段】
【００１６】
本発明は、前述したような従来技術における課題及び目的を達成するために発明されたものであって、
本発明の足首関節用テーピングテープは、
片面に粘着材層を有するテープ基材から形成された足首関節用テーピングテープであって、
長尺の本体部と、該長尺の本体部の略中心部から斜め方向に延設された少なくとも一つの脚部と、を有し、
前記本体部は、使用時において足裏に貼着される足裏貼着部と、該足裏貼着部の一方側から延設された一方側延設部と、該足裏貼着部の他方側から延設された他方側延設部と、から構成されるとともに、
前記脚部は、使用時において前記本体部よりも足の踵側に位置し、足首の裏側から足首の表側に向かって貼着されるように構成されていることを特徴とする。
【００１７】
このように構成される本発明の足首関節用テーピングテープは、特にその脚部が足首の裏側から足首の表側に向かって貼着されるように構成されているため、足の裏側でテープを持つ手を入れ替える必要がなく、簡単に貼着することができるようになっている。したがって、自分自身の手で簡単かつ正確に足首にテーピングをすることができる。
【００１８】
上記発明において、
前記脚部が、
帯状の本体部の略中心部から斜め一方側方向に延設された一方側脚部と、
帯状の本体部の略中心部から斜め他方側方向に延設された他方側脚部と、の少なくとも２つから構成され、
前記一方側脚部は、足首の裏側から足首の他方側の側部を通って足首の表側に向かって貼着されるように構成されているとともに、
前記他方側脚部は、足首の裏側から足首の一方側の側部を通って足首の表側に向かって貼着されるように構成されていることが望ましい。
【００１９】
このように構成されていれば、上述した脚部が一方側脚部と他方側脚部の２つの脚部から構成されるとともに、これら一方側脚部と他方側脚部とは、足首の裏側で交差するようにして貼着されるため、この２つの脚部によって、より確実に足首を固定することができるテーピングテープとすることができる。
【００２０】
この際、上記発明において、
前記一方側脚部と前記他方側脚部とは、互いに所定距離だけ離間した位置より前記本体部から延設されていることが望ましい。
【００２１】
このように構成されていれば、踵の後端部が一部露出するようにしてテーピングテープを貼着することができるため、貼着されたテーピングテープがずれるなどの問題が生じ難くなる。
【００２２】
また、上記発明において、
前記脚部が、前記本体部の一方側延設部および他方側延設部の延設方向と略垂直な方向にだけ伸縮するように形成されていることが望ましい。
【００２３】
このように構成されていれば、足首の裏側から足首の表側に向かって貼着された状態における脚部の伸縮方向と、足首を前後に動かす際に脚部に作用する引張力および圧縮力の作用方向とがほぼ一致するため、足首の関節の動作範囲を所定の方向および範囲に好適に抑制することができる。
【００２４】
また、上記発明において、
前記一方側延設部が、
前記足裏貼着部の一方側から延設されるとともに、使用時において足裏の一方側から足首の表側を通って足首の他方側の側部に向かって貼着される一方側第１延設部と、
前記足裏貼着部の一方側から延設されるとともに、使用時において足裏の一方側から足首の一方側の側部に向かって貼着される一方側第２延設部と、からなる二股状に構成されるとともに、
前記他方側延設部が、
前記足裏貼着部の他方側から延設されるとともに、使用時において足裏の他方側から足首の表側を通って足首の一方側の側部に向かって貼着される他方側第１延設部と、
前記足裏貼着部の他方側から延設されるとともに、使用時において足裏の他方側から足首の他方側の側部に向かって貼着される他方側第２延設部と、からなる二股状に構成されていることが望ましい。
【００２５】
このように、一方側延設部および他方側延設部がそれぞれ二股状に形成されているとともに、その各々が上述した足の部位に貼着されるように構成されていれば、本発明の足首関節用テーピングテープをより確実に足首に貼着することが可能となる。
【００２６】
この際、上記発明において、
前記テープ基材の粘着材層の上には剥離層が形成されており、
前記剥離層には、
前記本体部の足裏貼着部と前記一方側第１延設部との境界部分、
前記本体部の足裏貼着部と前記一方側第２延設部との境界部分、
前記本体部の足裏貼着部と前記他方側第１延設部との境界部分、
前記本体部の足裏貼着部と前記他方側第２延設部との境界部分、
前記本体部と前記一方側脚部との境界部分、
前記本体部と前記他方側脚部との境界部分、のそれぞれにミシン目が形成されていることが望ましく、
さらに、上記発明において、
前記ミシン目によって区分される前記剥離層の各部には、使用時におけるに貼着順序を示す順序指標が付されていることが望ましい。
【００２７】
このように、各部の境界部分にミシン目が入れられていれば、使用時において、想定していない箇所が予期せぬ部位に貼り付いてしまうことなどを防止することができ、確実にテーピングを行うことができる。
【００２８】
また、このように順序指標が付されていれば、使用時において、各部の貼着順序が明らかであるため、誰でも間違うことなく正しい順序でテーピングを行うことができる。
【発明の効果】
【００２９】
本発明によれば、足首の関節の動作範囲を所定の方向および範囲に好適に抑制することができるとともに、自分自身の手で簡単かつ正確に足首にテーピングをすることのできる足首関節用テーピングテープを提供することができる。
【図面の簡単な説明】
【００３０】
【図１】図１は、本発明の足首関節用テーピングテープの断面を示した概略図である。
【図２】図２は、本発明の足首関節用テーピングテープを正面側から視認した平面図である。
【図３】図３は、本発明の足首関節用テーピングテープを背面側から視認した平面図である。
【図４】図４は、本発明の本発明の足首関節用テーピングテープを背面側から視認した斜視図であり、剥離層の一部が剥がされている状態を示した図である。
【図５Ａ】図５Ａは、本発明の足首関節用テーピングテープの使用手順を説明するための図であり、足裏貼着部を貼着した状態を示した図である。
【図５Ｂ】図５Ｂは、本発明の足首関節用テーピングテープの使用手順を説明するための図であり、一方側第１延設部を貼着した状態を示した図である。
【図５Ｃ】図５Ｃは、本発明の足首関節用テーピングテープの使用手順を説明するための図であり、他方側第１延設部を貼着した状態を示した図である。
【図５Ｄ】図５Ｄは、本発明の足首関節用テーピングテープの使用手順を説明するための図であり、一方側第２延設部を貼着した状態を示した図である。
【図５Ｅ】図５Ｅは、本発明の足首関節用テーピングテープの使用手順を説明するための図であり、他方側第２延設部を貼着した状態を示した図である。
【図５Ｆ】図５Ｆは、本発明の足首関節用テーピングテープの使用手順を説明するための図であり、他方側脚部を貼着した状態を示した図である。
【図５Ｇ】図５Ｇは、本発明の足首関節用テーピングテープの使用手順を説明するための図であり、一方側脚部を貼着した状態を示した図である。
【図６】図６は、本発明の足首関節用テーピングテープの変形例を説明するための図である。
【図７】図７は、本発明の足首関節用テーピングテープの他の変形例を説明するための図である。
【図８】図８は、特許文献１に示されている従来の足首関節用テーピングテープを示した図である。
【図９】図９は、特許文献１に示されている従来の足首関節用テーピングテープを足首に貼着した状態を示した図である。
【図１０】図１０は、特許文献２に示されている従来の足首関節用テーピングテープを示した図である。
【図１１】図１１は、特許文献２に示されている従来の足首関節用テーピングテープを足首に貼着した状態を示した図である。
【発明を実施するための形態】
【００３１】
＜足首関節用テーピングテープ１０＞
以下、本発明の実施の形態について、図面に基づいてより詳細に説明する。
本発明の足首関節用テーピングテープ１０は、足首の関節の動作範囲を所定の範囲に抑制するため、足首およびその周囲へ貼着して用いられるものである。
【００３２】
図１は、本発明の足首関節用テーピングテープの断面を示した概略図である。
図１に示したように、本発明の足首関節用テーピングテープ１０は、片面に粘着材層１４を有するテープ基材１２と、この粘着材層１４の上に設けられた剥離層１６と、を有する積層体からなり、使用時においては、剥離層１６を剥がして使用されるものである。
【００３３】
テープ基材１２の材質としては、一般的なテーピングテープに用いられているものが使用でき、例えば伸縮性を有する天然ゴム，合成ゴム，布などを用いることができる。
また粘着材層１４の材質についても、一般的なテーピングテープに用いられているものが使用でき、例えばアクリル系，ゴム系，ビニルエーテル系，シリコーン系などを用いることができる。中でもアクリル系は、貼着された際に皮膚への刺激が少ないため好ましい。
【００３４】
剥離層１６についても、一般的なテーピングテープに用いられているものが使用でき、例えばシリコーンモノマーで表面処理された紙などを用いることができる。
本発明の足首関節用テーピングテープ１０は、上述した積層体が、図２，３に示したような、所定の形態に形成されることで構成されている。
【００３５】
ここで図２は、本発明の足首関節用テーピングテープを正面側から視認した平面図、図３は、本発明の足首関節用テーピングテープを背面側から視認した平面図である。
なお、図２および図３において、「一方側」と「他方側」とは、図中においてその左右が逆になっていることに留意されたい。
【００３６】
図２に示したように、本発明の足首関節用テーピングテープ１０は、足裏貼着部２６を中心として、この足裏貼着部２６の一方側から延設された一方側延設部２０ａと、この足裏貼着部２６の他方側から延設された他方側延設部２０ｂと、から構成される長尺の本体部２０を有している。
【００３７】
また、図２に示したように、本発明の足首関節用テーピングテープ１０は、上述した長尺の本体部２０の略中心部から斜め一方側方向に延設された帯状の一方側脚部３２ａと、本体部２０の略中心部から斜め他方側方向に延設された帯状の他方側脚部３２ｂと、から構成される脚部３０を有している。
【００３８】
これら本体部２０および脚部３０は、図中の矢印Ｙ方向にだけ、それぞれ伸縮するように形成されている。すなわち、本体部２０および脚部３０を構成するテープ基材１２は、上述した本体部２０の一方側延設部２０ａおよび他方側延設部２０ｂの延設方向と略垂直な方向にだけ伸縮するように形成されている。
【００３９】
また、上述した本体部２０の一方側延設部２０ａには、その延設方向に切れ目２８ａが形成されており、帯状の一方側第１延設部２２ａと一方側第２延設部２４ａとからなる二股状に形成されている。そして、一方側第１延設部２２ａの方が、一方側第２延設部２４ａよりも若干長く形成されている。
【００４０】
また同様に、上述した本体部２０の他方側延設部２０ｂには、その延設方向に切れ目２８ｂが形成されており、帯状の他方側第１延設部２２ｂと他方側第２延設部２４ｂとからなる二股状に形成されている。そして、他方側第１延設部２２ｂの方が、他方側第２延設部２４ｂよりも若干長く形成されている。
【００４１】
また、図２に示したように、上述した脚部３０を構成する一方側脚部３２ａと他方側脚部３２ｂとは、その基端部が互いに所定距離Ｄだけ離間した位置に形成されている。このように構成されていれば、後述する図５Ｇなどに示すように、踵の後端部が一部露出するようにしてテーピングテープを貼着することができるため、貼着されたテーピングテープがずれるなどの問題が生じ難くなる。
【００４２】
なお、本発明の足首関節用テーピングテープ１０において、上述した一方側脚部３２ａの基端部と他方側脚部３２ｂの基端部との離間距離Ｄは、特に限定されるものではないが、後述するように、足裏貼着部２６には、使用時において足の踵が置かれることとなる。このため、一方側脚部３２ａおよび他方側脚部３２ｂを足首に好適に貼着できるように、この離間距離Ｄは足の踵幅と同じか、それよりも僅かに広いように形成されていることが好ましい。
【００４３】
また、図２に示したように、上述した一方側脚部３２ａと他方側脚部３２ｂとは、本体部２０の延設方向に対して角度θをなして、それぞれ斜め方向に延設されている。
本発明の足首関節用テーピングテープ１０において、この一方側脚部３２ａおよび他方側脚部３２ｂの延設角度θは、特に限定されるものではないが、３０°〜６０°の範囲で形成されているが好ましく、特に４５°に形成されているのが好ましい。延設角度θがこのような角度に形成されていれば、後述するように、一方側脚部３２ａおよび他方側脚部３２ｂを足首の裏側から足首の表側に向かって貼着する際に、テープが捩れることなく簡単に貼着することができるとともに、一方側脚部３２ａおよび他方側脚部３２ｂの伸縮方向と、足首を前後に動かす際に一方側脚部３２ａおよび他方側脚部３２ｂに作用する引張力および圧縮力の作用方向とがほぼ一致するため、足首の関節の動作範囲を所定の方向および範囲に好適に抑制することができるようになる。
【００４４】
また図２に示したように、一方側脚部３２ａ，他方側脚部３２ｂのそれぞれの内側辺３４ａ，３４ｂには、その基端部において、上記角度θよりも急な角度で本体部２０と接続している傾斜辺部３６ａ，３６ｂが形成されている。このような傾斜辺部３６ａ，３６ｂが形成されていれば、使用時において、一方側脚部３２ａおよび他方側脚部３２ｂを足首の裏側から足首の表側に向かって貼着する際に、テープが捩れることなくよりスムーズに貼着することができるようになる。
【００４５】
また図３に示したように、足首関節用テーピングテープ１０の背面側に位置する剥離層１６には、足裏貼着部２６と一方側第１延設部２２ａとの境界部分、足裏貼着部２６と一方側第２延設部２４ａとの境界部分、足裏貼着部２６と他方側第１延設部２２ｂとの境界部分、および足裏貼着部２６と他方側第２延設部２４ｂとの境界部分、のそれぞれにミシン目が形成されていることが好ましい。
【００４６】
さらには、本体部２０と一方側脚部３２ａとの境界部分、および本体部２０と他方側脚部３２ｂとの境界部分との境界部分にも、それぞれにミシン目が形成されているが好ましい。
【００４７】
このようなミシン目が剥離層１６に予め形成されていれば、一度に全ての部分の剥離層１６を剥がすのではなく、貼着する部分だけの剥離層１６を剥がしてから足首に貼着することができるため、使用時において、想定していない箇所が予期せぬ部位に貼り付いてしまうことなどを防止できる。
【００４８】
また図３に示したように、剥離層１６には、使用の際に貼着されるべき順序を示す順序指標Ｍが付されていることが好ましい。このような順序指標Ｍは、図３に示した数字のように、貼着順序が一目見て分かるような指標であれば如何なるものであっても良く、数字以外にもアルファベット，ひらがな，カタカナ，絵など特に限定されるものではない。
【００４９】
なお図４は、足裏貼着部２６の剥離層１６が剥がされているとともに、一方側第1
延設部２２ａが部分的に剥がされており、剥離層１６の下にある粘着材層１４が部分的に露出している状態を示している。
【００５０】
この図４に示したように、粘着材層１４は、上述したテープ基材１２の伸縮方向（図中の矢印Ｙ方向）に沿って直線状に列状に塗布されている。なお、図４には示されていないが、剥離層１６が剥がされていない他の部分、例えば、一方側脚部３２ａや他方側脚部３２ｂの粘着材層１４についても同様に、図中の矢印Ｙ方向に沿って直線状に列状に塗布されている。
【００５１】
このように、テープ基材１２の伸縮方向に沿って粘着材層１４が列状に塗布されていれば、テープ基材１２の伸縮に合わせて粘着材層１４も伸縮されるため、好ましい。さらに、各形状の条間に通気路が形成されることになるため、皮膚への接触面積も少なくて済み、通気性が悪く皮膚への接触面積が大きい場合に生ずる炎症などを極力防止することができる。
【００５２】
このようにして構成される本発明の足首関節用テーピングテープ１０の製造方法は、特に限定されるものではないが、本実施形態の足首関節用テーピングテープ１０では、図１に示した積層体を大きなシート状にし、これを足首関節用テーピングテープ１０の形に合わせた抜き型で打ち抜き加工することで、簡単に製造することで可能である。
【００５３】
本実施形態において、このような打ち抜き加工によって製造することができるのは、本実施形態の足首関節用テーピングテープ１０では、上述したように、各部において、そのテープ基材１２の伸縮方向および粘着材層１４の塗布方向が同じに形成されているからである。
【００５４】
これに対して、例えば、本体部２０と脚部３０とで、テープ基材１２の伸縮方向や粘着材層１４の塗布方向が異なっている場合は、本体部２０と脚部３０とを別々に形成し、これらを繋ぎ合わせるなどして製造する必要があるため、手間がかかることとなる。
【００５５】
＜足首関節用テーピングテープ１０の使用手順＞
以下、上述した足首関節用テーピングテープ１０の使用手順について説明する。
図５Ａ〜図５Ｇは、本発明の足首関節用テーピングテープの使用手順を説明するための図である。
【００５６】
なお、図５Ａ〜図５Ｇは、本発明の足首関節用テーピングテープ１０を左足の足首に装着する際の使用手順を示したものであるが、本発明の足首関節用テーピングテープ１０は、左右対称に形成されており、左足にも右足にも使用可能なものである。
【００５７】
先ず、図５Ａに示したように、本体部２０の足裏貼着部２６の剥離層１６（図３の符号１）を剥がす。そして、足の踵を脚部３０側に向けた状態で、足裏に足裏貼着部２６を貼着する。この際、足裏貼着部２６から踵が少しはみ出す程度に貼着すれば、後に一方側脚部３２ａおよび他方側脚部３２ｂが貼着しやすくなる。
【００５８】
次に、図５Ｂに示したように、一方側第１延設部２２ａの剥離層１６（図３の符号２）を剥がす。そして、この一方側第１延設部２２ａを足裏の一方側（内側）から足首の表側を通って足首の他方側（外側）の側部にあるくるぶしに向かって貼着する。この際、一方側第１延設部２２ａを引っ張らないで貼着した方が、足首を前後に動かす際の妨げとならないので、好ましい。
【００５９】
同様に、図５Ｃに示したように、他方側第１延設部２２ｂの剥離層１６（図３の符号３）を剥がす。そして、この他方側第１延設部２２ｂを足裏の他方側（外側）から足首の表側を通って足首の一方側（内側）の側部にあるくるぶしに向かって引っ張らずに貼着する。
【００６０】
次に、図５Ｄに示したように、一方側第２延設部２４ａの剥離層１６（図３の符号４）を剥がす。そして、この一方側第２延設部２４ａを足裏の一方側（内側）から足首の一方側（内側）の側部にあるくるぶし向かって貼着する。
【００６１】
同様に、図５Ｅに示したように、他方側第２延設部２４ｂの剥離層１６（図３の符号５）を剥がす。そして、この他方側第２延設部２４ｂを足裏の他方側（外側）から足首の他方側（外側）の側部にあるくるぶし向かって貼着する。
【００６２】
この際、一方側第２延設部２４ａを引っ張らずに貼着するとともに、他方側第２延設部２４ｂを少し引っ張った状態で貼着すれば、足首の内側への動きが抑制されるため、内反捻挫の防止に効果的である。
【００６３】
また反対に、他方側第２延設部２４ｂを引っ張らずに貼着するとともに、一方側第２延設部２４ａを少し引っ張った状態で貼着すれば、足首の外側への動きが抑制されるため、外反捻挫の防止に効果的である。
【００６４】
そして最後に、図５Ｆに示したように、他方側脚部３２ｂの剥離層１６（図３の符号６）を剥がす。そして、この他方側脚部３２ｂを足首の裏側から足首の一方側（内側）の側部にあるくるぶしを通って足首の表側に向かって、足首を一周させるようにして貼着する。
【００６５】
また同様に、図５Ｇに示したように、一方側脚部３２ａの剥離層１６（図３の符号７）を剥がす。そして、この一方側脚部３２ａを足首の裏側から足首の他方側（外側）の側部にあるくるぶしを通って足首の表側に向かって、足首を一周させるようにして貼着することで、本発明の足首関節用テーピングテープ１０の足首への貼着が完了する。
【００６６】
このように、本発明の足首関節用テーピングテープ１０は、足首に貼着し易い所定の形状に予めカットされているため、自分自身の手で簡単かつ正確に足首にテーピングを施すことができるようになっている。
【００６７】
また特に、足首にテーピングを施す場合には、足首を一周させるようにテーピングする際の貼着作業が最も困難であるが、本発明の足首関節用テーピングテープ１０にあっては、一方側脚部および他方側脚部を足首の裏側から表側に向かって貼着するように構成されていることから、足の裏側でテープを持つ手を入れ替える必要がなく、簡単に足首の周りに貼着することができるようになっている。
【００６８】
また、本発明の本発明の足首関節用テーピングテープ１０にあっては、一方側脚部３２ａおよび他方側脚部３２ｂが、足裏から足首の上側に向かって、足首に対して斜め方向に貼着される。したがって、図５Ｆおよび図５Ｇに示したように、足首に貼着された状態において、そのテープ基材１２の伸縮方向（矢印Ｙ）とアキレス腱の延伸方向とがほぼ同じ方向となる。このため、足首の前後方向の動きが妨げられないようになっている。
【００６９】
以上、本発明の好ましい形態について説明したが、本発明は上記の形態に限定されるものではない。本発明の目的を逸脱しない範囲での種々の変更が可能である。
例えば、上述した実施形態では、脚部３０は、一方側脚部３２ａと他方側脚部３２ｂの２つから構成されていたが、本発明の足首関節用テーピングテープ１０にあっては、本体部２０の略中心部から斜め方向に延設された脚部が少なくとも１つ以上形成されていればよく、脚部３０の本数は特に限定されないものである。
【００７０】
例えば、図６に示したように、本体部２０の略中心部から他方側に向かって延設された一方側脚部３２ａの１つだけから、脚部３０が構成されていてもよいものである。
また図示しないが、本体部２０の略中心部から一方側に向かって、２本の一方側脚部３２ａが延設されるとともに、本体部２０の略中心部から他方側に向かって、２本の他方側脚部３２ｂが延設されており、脚部３０が計４本の脚部３２ａ，３２ｂから構成されていてもよいものである。
【００７１】
また、上述した実施形態では、本体部２０の一方側延設部２０ａおよび他方側延設部２０ｂは、２股状に形成されていたが、本発明の足首関節用テーピングテープ１０はこれに限定されない。例えば、図７に示したように、一方側延設部２０ａおよび他方側延設部２０ｂが、それぞれ１つの帯状に形成されていてもよいものである。
【００７２】
また図示しないが、一方側延設部２０ａおよび他方側延設部２０ｂのそれぞれが、例えば３股状に形成されていてもよいものである。
【符号の説明】
【００７３】
１０      足首関節用テーピングテープ
１２      テープ基材
１４      粘着材層
１６      剥離層
２０      本体部
２０ａ    一方側延設部
２０ｂ    他方側延設部
２２ａ    一方側第１延設部
２２ｂ    他方側第１延設部
２４ａ    一方側第２延設部
２４ｂ    他方側第２延設部
２６      足裏貼着部
２８ａ    切れ目
２８ｂ    切れ目
３０      脚部
３２ａ    一方側脚部
３２ｂ    他方側脚部
３４ａ，３４ｂ  内側辺
３６ａ，３６ｂ  傾斜辺部
１００    足首関節用テーピングテープ
１２０    本体部
１２０ａ  湾曲部
１２２    一方側延設部
１２４    他方側延設部
１３０    脚部
２００    足首関節用テーピングテープ
２２２ａ  一方側第１延設部
２２２ｂ  他方側第１延設部
２２４ａ  一方側第２延設部
２２４ｂ  他方側第２延設部
２２６    足裏貼着部
Ｍ        順序指標
【図１】
0005780820.tif 000002
【図２】
0005780820.tif 000003
【図３】
0005780820.tif 000004
【図４】
0005780820.tif 000005
【図５Ａ】
0005780820.tif 000006
【図５Ｂ】
0005780820.tif 000007
【図５Ｃ】
0005780820.tif 000008
【図５Ｄ】
0005780820.tif 000009
【図５Ｅ】
0005780820.tif 000010
【図５Ｆ】
0005780820.tif 000011
【図５Ｇ】
0005780820.tif 000012
【図６】
0005780820.tif 000013
【図７】
0005780820.tif 000014
【図８】
0005780820.tif 000015
【図９】
0005780820.tif 000016
【図１０】
0005780820.tif 000017
【図１１】
0005780820.tif 000018